(57)【要約】【課題】大型動物の死産その他のトラブルを防止するために助産を行う。【解決手段】この発明の助産装置は、動物の母体２から突出した分娩中の胎子の足３を捕捉する捕捉具４をロープその他の牽引具９を介して牽引し、胎子を母体２から娩出させる電動モータ付のウインチ６を備えた助産装置であって、携帯又は移動可能な機体フレーム１４に上記ウインチ６と、牽引時に機体フレーム１４を位置決め固定して牽引反力を得る固定部材７とを備えている。  固定部材７は機体フレーム１４側に取付けられ、分娩現場の建造物その他の固定物８に機体フレーム１４又はウインチ６を係脱可能に連結するチェンその他の連結具であり、牽引具９の繰出し及び引き込み動作を案内するガイド装置３６をウインチ６の牽引具引き込み側に設けている。【選択図】図１
2020081478.tif 000002
【特許請求の範囲】
【請求項１】
動物の母体（２）から突出した分娩中の胎子の足（３）を捕捉する捕捉具（４）をロープその他の牽引具（９）を介して牽引し、胎子を母体（２）から娩出させる電動モータ付のウインチ（６）を備えた助産装置であって、携帯又は移動可能な機体フレーム（１４）に上記ウインチ（６）と、牽引時に機体フレーム（１４）を位置決め固定して牽引反力を得る固定部材（７）とを備えた大型動物用助産装置。
【請求項２】
固定部材（７）が機体フレーム（１４）側に取付けられ、分娩現場の建造物その他の固定物（８）に機体フレーム（１４）又はウインチ（６）を係脱可能に連結するチェンその他の連結具である請求項１に記載の大型動物用助産装置。
【請求項３】
牽引具（９）の繰出し及び引き込み動作を案内するガイド装置（３６）をウインチ（６）の牽引具引き込み側に設けた請求項１又は２に記載の大型動物用助産装置。
【請求項４】
固定部材（７）とウインチ（６）とを共に機体フレーム（１４）の下部側に設けた請求項１〜３のいずれかに記載の大型動物用助産装置。
【請求項５】
機体フレーム（１４）の上部側に、分娩現場の分娩の助産の作業位置に投光する照明器具（２６）を取付けた請求項１〜４のいずれかに記載の大型動物用助産装置。
【請求項６】
ウインチ（６）のモータを起動停止するリモートコントローラ（１２）を備えた請求項１〜５のいずれかに記載の大型動物用助産装置。
【請求項７】
モータが直流モータであり、機体フレーム（１４）側に該直流モータの電源となる電源装置（２５）を設けた請求項６に記載の大型動物用助産装置。
【請求項８】
機体フレーム（１４）の下部側に機体フレーム（１４）を走行させる車輪（２９）を設けた請求項１〜７のいずれかに記載の動物用助産装置。
【請求項９】
機体フレーム（１４）側に牽引具（９）の先端側を係脱可能に係止する係止部（４１）を設け、係止部（４１）を係止した状態で形成する牽引具のループ端を巻き掛け、先端に捕捉具（４）の牽引端と連結する捕捉連結具（４４）を有する動滑車（４３）を設けた請求項１〜８のいずれかに記載の大型動物用助産装置。
【請求項１０】
機体フレーム（１４）側に助産作業又は助産装置のメンテナンスその他に必要な用具を収納する収納部（２２），（２４）を設けた請求項１〜９のいずれかに記載の大型動物用助産装置。
【発明の詳細な説明】
【技術分野】
【０００１】
この発明は、家畜としての牛馬や動物園等の大型展示動物等の分娩時に使用する大型動物用助産装置に関する。
【背景技術】
【０００２】
従来例えば島根県内の畜産乳牛は平成２９年度で乳牛２６９頭，肉牛２０７頭（合計４７６頭）が死産したとのデータがあり、これらの内分娩時のトラブルによる死亡率の割合も相当高く、全国的にも共通の課題であると考えられている。
【０００３】
また牛の助産には通常自然分娩や軽い分娩では１〜２人，難産では３〜５人の人手が必要で、さらに獣医の立会が望ましいが、母牛の陣痛の開始が夜間や早朝に始まることが多いため、獣医の立会ができないケースが多く、出産事故が多発する原因にもなっている。
【０００４】
これに対し、従来、牛の出産トラブルを防止する助産装置として、母牛の母体の臀部に先端を当接した突っ支い棒の後端に手持ち式のウインチを取付けてロープで分娩中の胎子を引き出すもの（特許文献１参照）や柱等の固定物に取付けられた滑車にロープをループ状に転回させて、ロープの一端を胎子の足にからませ、他端を人手で引張りながら助産を行うもの（特許文献２参照）等が公知である。
【先行技術文献】
【特許文献】
【０００５】
【特許文献１】実開昭４８−４７７７５号公報
【特許文献２】特開２０１０−２３４０３８号公報
【発明の概要】
【発明が解決しようとする課題】
【０００６】
しかし上記特許文献の助産装置はウインチや動滑車を用いて母牛から子牛を引き出すので、直接子牛を人手で引き出す方法に比較すれば助産作業が省力化され出産もよりスムースであるが、特許文献１の装置のウインチ操作は作業者がウインチや突っ支い棒を抱えた状態で行う必要があり、特許文献２の装置では、ロープの引張り作業自体を人の移動によって行う等、いずれもロープの牽引中は、娩出する子牛への直接の手当は別の介助者が行う必要があるほか、牽引作業も安定性や円滑さに欠ける欠点がある。
【課題を解決するための手段】
【０００７】
上記課題を解決するための本発明の装置は、第１に動物の母体２から突出した分娩中の胎子の足３を捕捉する捕捉具４をロープその他の牽引具９を介して牽引し、胎子を母体２から娩出させる電動モータ付のウインチ６を備えた助産装置であって、携帯又は移動可能な機体フレーム１４に上記ウインチ６と、牽引時に機体フレーム１４を位置決め固定して牽引反力を得る固定部材７とを備えたことを特徴としている。
【０００８】
第２に、固定部材７が機体フレーム１４側に取付けられ、分娩現場の建造物その他の固定物８に機体フレーム１４又はウインチ６を係脱可能に連結するチェンその他の連結具であることを特徴としている。
【０００９】
第３に、牽引具９の繰出し及び引き込み動作を案内するガイド装置３６をウインチ６の牽引具引き込み側に設けたことを特徴としている。
【００１０】
第４に、固定部材７とウインチ６とを共に機体フレーム１４の下部側に設けたことを特徴としている。
【００１１】
第５に、機体フレーム１４の上部側に、分娩現場の分娩の助産の作業位置に投光する照明器具２６を取付けたことを特徴としている。
【００１２】
第６に、ウインチ６のモータを起動停止するリモートコントローラ１２を備えたことを特徴としている。
【００１３】
第７に、モータが直流モータであり、機体フレーム１４側に該直流モータの電源となる電源装置２５を設けたことを特徴としている。
【００１４】
第８に、機体フレーム１４の下部側に機体フレーム１４を走行させる車輪２９を設けたことを特徴としている。
【００１５】
第９に、機体フレーム１４側に牽引具９の先端側を係脱可能に係止する係止部４１を設け、係止部４１を係止した状態で形成する牽引具のループ端を巻き掛け、先端に捕捉具４の牽引端と連結する捕捉連結具４４を有する動滑車４３を設けたことを特徴としている。
【００１６】
第１０に、機体フレーム１４側に助産作業又は助産装置のメンテナンスその他に必要な用具を収納する収納部２２，２４を設けたことを特徴としている。
【発明の効果】
【００１７】
以上のように構成される本発明によれば、次のような効果を奏する。
（１）助産作業者が人力による牽引作業を行う必要がなく労力が軽減され、位置決め固定された機体フレーム上のウインチをリモートコントローラ等によりスイッチ操作して、起動停止及び間欠作動させることも可能なので、安定的で円滑に、さらに子牛の娩出状況に応じた正確で安全な助産作業が迅速にできる利点がある。
（２）助産装置が分娩現場に搬入されていれば、母体の保定から捕捉具による胎子の足の補足までの準備時間は、極めて短時間（３分前後）でセットが可能である。
（３）機体フレーム上にウインチ又はさらに充電器、バッテリー等の電源のほか、助産作業に必要な最小限の装置や用具収納部を設けて全体をユニット化し、携帯移動又は車輪を設けて走行移動できるので、出産現場の遠近や電源の有無その他の作業環境の違いに関係なく、確実な助産作業ができる。さらに機体フレーム側に照明装置を設けることにより、夜間や明かりの乏しい舎屋内でも助産対応ができる。
その他の具体的効果については後述の実施形態の説明中で述べる。
【図面の簡単な説明】
【００１８】
【図１】本発明装置による助産作業の情況例を示す全体図である。
【図２】本発明装置の全体側面図である。
【図３】本発明装置の全体正面図である。
【発明を実施するための形態】
【００１９】
以下図示する本発明の実施形態につき説明すると、図１〜図３は本発明の実施形態を示し、図１は本発明の助産装置の本体１を用いた分娩中の母牛（ホルスタイン）２の助産風景を示している。この図では母牛（母体）２は牛舎内に立姿勢で繋がれているが床面上に伏せた状態の場合もあり、この例では母体２から突出した子牛（胎子）の足３に公知の産科バンド（捕捉具）４をループ状に折り返し、その折り返し端を巻掛けて引き出し可能に捕捉している。
【００２０】
装置の本体１は、下端部（下部側）に電動式のウインチ６を搭載しており、背面側はチェンからなる固定部材７により、舎屋の支柱等の固定物８に連結されて位置決め固定され、ウインチ６による牽引反力を取っている。そして上記ウインチ６から繰り出されたワイヤロープ等からなる牽引具９の先端を、前記捕捉具４の両端に連結し、子牛の足３を牽引し徐々に引き出して助産・介助する。
【００２１】
この例では母牛２の大きさや保定姿勢に応じた分娩位置の高さにロープ端の高さや傾きを合わせ又は母牛２の位置と助産装置本体１との間にある柱や壁等の障害物を避けるために、柱等の固定物に取付けられた中継滑車１１を経由させてロープ９を牽引している。ちなみに、ロープ９の長さが５ｍ以上ある場合は、高さ調節のための滑車１１は必ずしも必要ない。その他ロープの繰り出し長さや滑車の設置装置、ロープ配索等上記母体の保定姿勢その他の現場情況に応じて任意に選択できる。
【００２２】
またウインチ６の操作は助産位置（分娩位置）近傍でリモートコントローラ（リモコン）１２で、助産作業を行い手元の状態を目視しながら作業者自体が起動・停止又は間欠駆動等を繰り返して行うことができ、ウインチ６側には、リモコン１２からの信号を受信する受信装置（図示しない）が設けられている。１３は分娩位置下方に敷かれた敷きワラである。
【００２３】
図２，図３は本発明装置の側面図及び正面図で、装置の本体１の機体フレーム１４は、縦方向の梯状の縦フレーム１６とその下端に前向き直交方向に突設されウインチ６を設置する枠板状の台座１７とで構成されており、その上方には所定間隔を介して三段のラック１８，１９，２１が前向きに突設されている。
【００２４】
上記各ラック１８，１９，２１には下側より例えば助産用具を収納するボックス状の収納部２２，交流電源に接続される充電器２３，工具箱からなる収納部２４がそれぞれ搭載されている。また上記収納部２２用のラック１８の背面側には、ラック２０が後向きに突設され、上記充電器２３より充電を受け、ウインチ６の電源となるバッテリーからなる電源装置２５が設置されている。これにより電源のない分娩現場でも装置の使用が可能になる。
【００２５】
最上段のラック２１の下面側左右位置（機体フレーム１４の上部側）には母牛の分娩位置や助産作業位置に投光する照明用のランプ（照明装置）２６が前向きに取付けられ、縦フレーム１６の左右両端には後方より把持して後述する本体１の走行移動時又は停止時に操作を行う際のハンドル２７が後傾方向に突設されている。
【００２６】
さらに機体フレーム１４の下端背面の左右両側位置には、ブラケット２８を介して車輪（キャスター）２９が軸支され、図１，２の状態からハンドル２７を持って矢印ａ方向に本体１を倒すとキャスター２９が接地し、本体１は床面上を手押し走行により移動することが可能になる。この車輪２９を駆動する減速機付モータ（図示しない）を取付ければ、動力駆動による走行が可能である。
【００２７】
固定部材となるチェン７は、縦フレーム１６の下端側中央で折り返し端を連結リング３１に挿通し、両端を縦フレーム１６の上方の両側面に突設した係止部３２に係脱可能に係止して保持されているが、その一方の端部にはフック３３が連結されている。
【００２８】
そしてこのチェン７は本体１を前記支柱８の近傍に定置した状態で、両端を上記係止部３２により外して支柱８等の固定物に巻掛けるとともに、上記フック３３を他端側のチェン７のリングに長さ調節しながら係止することにより、本体１を位置決め固定し、ウインチ６による牽引の反力を得る。
【００２９】
ウインチ６は、図示するように台座１７上に取付けられており、右側には駆動用のモータ（図示しない）が設けられてウインチ６と連結されている。このモータは減速機付で、ウインチ６のワイヤ引込み速度は例えば１ｍ／ｓｅｃ程度の緩速に設定されている。ウインチ６のドラムの上部には、ウインチ６上に物が直接落下しないように格子状の安全ガード３４が取付けられている。
【００３０】
また上記ウインチ６の前方（ロープ繰り出し・引き込み側）には、ワイヤロープ９の繰出し及び引き込み作動を案内するガイド装置３６が設けられており、ガイド装置３６は、台座１７上の左右両端側に立設されたゲート状のガイドフレーム３７内に左右方向のロール３８と上下方向のロール３９が、それぞれ一対ずつロープ９の挿通間隔を介して回転自在に軸支されており、ロープ９の繰り出し引き込み作動をスムースにガイドする。
【００３１】
また、ゲート状のガイドフレーム３７の上部は左右方向のパイプからなるシャフト状の横材３７ａが架設され、この横材３７ａには軸線が交差するように一対のリング状部材で一体形成された連結環４１に一方のリングが嵌合され、他方のリングにはスイペル状のジョイント部材４２を介してロープ９の先端をロープの捩れを解消しながら連結できる機構になっている。
【００３２】
上記のように装置の本体１に対し、固定部材７による固定位置とウインチ６の取付位置（又はロープ９の引き込み位置）の高さが共に下端部付近の低位置であることにより、助産作業の際のロープによる牽引時にも、定置された装置本体１は転倒や傾きもなく安定した定置状態を保つことができる。
【００３３】
図１で実線で示す例では、ロープ９はループを形成して折り返されて繰り出し端が本体１側の連結環（係止部）４１に連結され、ループ状の折り返し端は動滑車４３に巻掛けられており、該動滑車４３の一端に設けられたフック（捕捉連結具）４４が産科バンド４の両端のリング部に係止されている。この機構により助産時の子牛の足３の牽引速度は１／２になるが牽引力は２倍になる。
【００３４】
他方、図１の仮想線で示すロープ９の使用方法では、ロープ９の繰り出し端はスイペル状のジョイント部材４６を介して産科バンド４の両端に連結され、ロープ９の牽引力と牽引速度がそのまま子牛の引き出しに反映される。図１に示す使用方法はこの仮想線の使用方法による。
【００３５】
上記装置による助産作業は、分娩現場に予め助産装置を搬入しておき、母牛の保定，装置の位置決め固定，滑車セット，ワイヤロープのセット，捕捉具（産科バンド）による捕捉セット等の手順によって約３分前後の短時間で助産準備を完了し、その後は既述のようにリモコン１２によってウインチ操作をして助産を行う。
【００３６】
このため助産の介助のうち最も労力と熟練を要する胎子の引き出し作業をリモコン操作によって行うことができる。
【符号の説明】
【００３７】
１    助産装置の本体
２    母体（母牛）
３    胎子（子牛）の足
４    補足具（産科バンド）
６    ウインチ
７    固定部材（チェン）
８    固定物（支柱）
９    牽引具（ロープ）
１２    リモートコントローラ
１４    機体フレーム
１６    縦フレーム
１７    台座
２３    充電器
２４    収納部
２５    電源装置（バッテリー）
２６    照明器具
２９    車輪（キャスター）
３６    ガイド装置
４１    係止部（連結具）
４３    動滑車
４４    補足連結部（フック）
【図１】
2020081478.tif 000003
【図２】
2020081478.tif 000004
【図３】
2020081478.tif 000005
【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
動物の母体（２）から突出した分娩中の胎子の足（３）を捕捉する捕捉具（４）をロープその他の牽引具（９）を介して牽引し、胎子を母体（２）から娩出させる電動モータ付のウインチ（６）を備えた助産装置であって、携帯又は移動可能な機体フレーム（１４）に上記ウインチ（６）と、牽引時に機体フレーム（１４）を位置決め固定して牽引反力を得る固定部材（７）とを備え、上記機体フレーム（１４）が縦フレーム（１６）と、該縦フレーム（１６）の下端に前向きに突設されウインチ（６）を設置する台座（１７）とで構成され、該台座（１７）の上方には、ウインチ（６）のモータの電源装置（２５）と、助産作業又は助産装置のメンテナンスその他の作業に必要な用具を収納する収納部（２２），（２４）とをそれぞれ設置するラック（２０），（２１），（２２）を所定の上下間隔を介して前後方向に突設し、上記機体フレーム（１４）の下部背面側には車輪（２９）を軸支して設け、上部側には照明用のランプ（２６）を前向きに取付けるとともに上部側左右には機体フレーム（１４）を後傾させて上記車輪（２９）により機体フレーム（１４）を走行移動させる操作用のハンドル（２７）を設けた大型動物用助産装置。
【請求項２】
固定部材（７）が機体フレーム（１４）側に取付けられ、分娩現場の建造物その他の固定物（８）に機体フレーム（１４）又はウインチ（６）を係脱可能に連結するチェンその他の連結具である請求項１に記載の大型動物用助産装置。
【請求項３】
牽引具（９）の繰出し及び引き込み動作を案内するガイド装置（３６）をウインチ（６）の牽引具引き込み側となる前方側に設け、固定部材（７）をウインチ（６）の背面側に設けた請求項１又は２に記載の大型動物用助産装置。
【請求項４】
ウインチ（６）のモータを起動停止するリモートコントローラ（１２）を備えた請求項１〜３のいずれかに記載の大型動物用助産装置。
【請求項５】
モータが直流モータであり、機体フレーム（１４）側に該直流モータの電源装置（２５）となるバッテリーと、該バッテリーを充電する充電機（２３）とを設けた請求項４に記載の大型動物用助産装置。
【請求項６】
機体フレーム（１４）側に牽引具（９）の先端側を係脱可能に係止する係止部（４１）を設け、係止部（４１）を係止した状態で形成する牽引具のループ端を巻き掛け、先端に捕捉具（４）の牽引端と連結する捕捉連結具（４４）を有する動滑車（４３）を設けた請求項１〜５のいずれかに記載の大型動物用助産装置。
【手続補正２】
【補正対象書類名】明細書
【補正対象項目名】全文
【補正方法】変更
【補正の内容】
【発明の詳細な説明】
【技術分野】
【０００１】
この発明は、家畜としての牛馬や動物園等の大型展示動物等の分娩時に使用する大型動物用助産装置に関する。
【背景技術】
【０００２】
従来例えば島根県内の畜産乳牛は平成２９年度で乳牛２６９頭，肉牛２０７頭（合計４７６頭）が死産したとのデータがあり、これらの内分娩時のトラブルによる死亡率の割合も相当高く、全国的にも共通の課題であると考えられている。
【０００３】
また牛の助産には通常自然分娩や軽い分娩では１〜２人，難産では３〜５人の人手が必要で、さらに獣医の立会が望ましいが、母牛の陣痛の開始が夜間や早朝に始まることが多いため、獣医の立会ができないケースが多く、出産事故が多発する原因にもなっている。
【０００４】
これに対し、従来、牛の出産トラブルを防止する助産装置として、母牛の母体の臀部に先端を当接した突っ支い棒の後端に手持ち式のウインチを取付けてロープで分娩中の胎子を引き出すもの（特許文献１参照）や柱等の固定物に取付けられた滑車にロープをループ状に転回させて、ロープの一端を胎子の足にからませ、他端を人手で引張りながら助産を行うもの（特許文献２参照）等が公知である。
【先行技術文献】
【特許文献】
【０００５】
【特許文献１】実開昭４８−４７７７５号公報
【特許文献２】特開２０１０−２３４０３８号公報
【発明の概要】
【発明が解決しようとする課題】
【０００６】
しかし上記特許文献の助産装置はウインチや動滑車を用いて母牛から子牛を引き出すので、直接子牛を人手で引き出す方法に比較すれば助産作業が省力化され出産もよりスムースであるが、特許文献１の装置のウインチ操作は作業者がウインチや突っ支い棒を抱えた状態で行う必要があり、特許文献２の装置では、ロープの引張り作業自体を人の移動によって行う等、いずれもロープの牽引中は、娩出する子牛への直接の手当は別の介助者が行う必要があるほか、牽引作業も安定性や円滑さに欠ける欠点がある。
【課題を解決するための手段】
【０００７】
上記課題を解決するための本発明の装置は、第１に動物の母体２から突出した分娩中の胎子の足３を捕捉する捕捉具４をロープその他の牽引具９を介して牽引し、胎子を母体２から娩出させる電動モータ付のウインチ６を備えた助産装置であって、携帯又は移動可能な機体フレーム１４に上記ウインチ６と、牽引時に機体フレーム１４を位置決め固定して牽引反力を得る固定部材７とを備え、上記機体フレーム１４が縦フレーム１６と、該縦フレーム１６の下端に前向きに突設されウインチ６を設置する台座１７とで構成され、該台座１７の上方には、ウインチ６のモータの電源装置２５と、助産作業又は助産装置のメンテナンスその他の作業に必要な用具を収納する収納部２２，２４とをそれぞれ設置するラック２０，２１，２２を所定の上下間隔を介して前後方向に突設し、上記機体フレーム１４の下部背面側には車輪２９を軸支して設け、上部側には照明用のランプ２６を前向きに取付けるとともに上部側左右には機体フレーム１４を後傾させて上記車輪２９により機体フレーム１４を走行移動させる操作用のハンドル２７を設けたことを特徴としている。
【０００８】
第２に、固定部材７が機体フレーム１４側に取付けられ、分娩現場の建造物その他の固定物８に機体フレーム１４又はウインチ６を係脱可能に連結するチェンその他の連結具であることを特徴としている。
【０００９】
第３に牽引具９の繰出し及び引き込み動作を案内するガイド装置３６をウインチ６の牽引具引き込み側となる前方側に設け、固定部材７をウインチ６の背面側に設けたことを特徴としている。
【００１０】
第４に、ウインチ６のモータを起動停止するリモートコントローラ１２を備えたことを特徴としている。
【００１１】
第５に、モータが直流モータであり、機体フレーム１４側に該直流モータの電源装置２５となるバッテリーと、該バッテリーを充電する充電機２３とを設けたことを特徴としている。
【００１２】
第６に、機体フレーム１４側に牽引具９の先端側を係脱可能に係止する係止部４１を設け、係止部４１を係止した状態で形成する牽引具のループ端を巻き掛け、先端に捕捉具４の牽引端と連結する捕捉連結具４４を有する動滑車４３を設けたことを特徴としている。
【発明の効果】
【００１３】
以上のように構成される本発明によれば、次のような効果を奏する。
（１）助産作業者が人力による牽引作業を行う必要がなく労力が軽減され、位置決め固定された機体フレーム上のウインチをリモートコントローラ等によりスイッチ操作して、起動停止及び間欠作動させることも可能なので、安定的で円滑に、さらに子牛の娩出状況に応じた正確で安全な助産作業が迅速にできる利点がある。
（２）助産装置が分娩現場に搬入されていれば、母体の保定から捕捉具による胎子の足の補足までの準備時間は、極めて短時間（３分前後）でセットが可能である。
（３）機体フレーム上にウインチ又はさらに充電器、バッテリー等の電源のほか、助産作業に必要な最小限の装置や用具収納部を設けて全体をユニット化し、携帯移動又は車輪を設けて走行移動できるので、出産現場の遠近や電源の有無その他の作業環境の違いに関係なく、確実な助産作業ができる。さらに機体フレーム側に照明装置を設けることにより、夜間や明かりの乏しい舎屋内でも助産対応ができる。
その他の具体的効果については後述の実施形態の説明中で述べる。
【図面の簡単な説明】
【００１４】
【図１】本発明装置による助産作業の情況例を示す全体図である。
【図２】本発明装置の全体側面図である。
【図３】本発明装置の全体正面図である。
【発明を実施するための形態】
【００１５】
以下図示する本発明の実施形態につき説明すると、図１〜図３は本発明の実施形態を示し、図１は本発明の助産装置の本体１を用いた分娩中の母牛（ホルスタイン）２の助産風景を示している。この図では母牛（母体）２は牛舎内に立姿勢で繋がれているが床面上に伏せた状態の場合もあり、この例では母体２から突出した子牛（胎子）の足３に公知の産科バンド（捕捉具）４をループ状に折り返し、その折り返し端を巻掛けて引き出し可能に捕捉している。
【００１６】
装置の本体１は、下端部（下部側）に電動式のウインチ６を搭載しており、背面側はチェンからなる固定部材７により、舎屋の支柱等の固定物８に連結されて位置決め固定され、ウインチ６による牽引反力を取っている。そして上記ウインチ６から繰り出されたワイヤロープ等からなる牽引具９の先端を、前記捕捉具４の両端に連結し、子牛の足３を牽引し徐々に引き出して助産・介助する。
【００１７】
この例では母牛２の大きさや保定姿勢に応じた分娩位置の高さにロープ端の高さや傾きを合わせ又は母牛２の位置と助産装置本体１との間にある柱や壁等の障害物を避けるために、柱等の固定物に取付けられた中継滑車１１を経由させてロープ９を牽引している。ちなみに、ロープ９の長さが５ｍ以上ある場合は、高さ調節のための滑車１１は必ずしも必要ない。その他ロープの繰り出し長さや滑車の設置装置、ロープ配索等上記母体の保定姿勢その他の現場情況に応じて任意に選択できる。
【００１８】
またウインチ６の操作は助産位置（分娩位置）近傍でリモートコントローラ（リモコン）１２で、助産作業を行い手元の状態を目視しながら作業者自体が起動・停止又は間欠駆動等を繰り返して行うことができ、ウインチ６側には、リモコン１２からの信号を受信する受信装置（図示しない）が設けられている。１３は分娩位置下方に敷かれた敷きワラである。
【００１９】
図２，図３は本発明装置の側面図及び正面図で、装置の本体１の機体フレーム１４は、縦方向の梯状の縦フレーム１６とその下端に前向き直交方向に突設されウインチ６を設置する枠板状の台座１７とで構成されており、その上方には所定間隔を介して三段のラック１８，１９，２１が前向きに突設されている。
【００２０】
上記各ラック１８，１９，２１には下側より例えば助産用具を収納するボックス状の収納部２２，交流電源に接続される充電器２３，工具箱からなる収納部２４がそれぞれ搭載されている。また上記収納部２２用のラック１８の背面側には、ラック２０が後向きに突設され、上記充電器２３より充電を受け、ウインチ６の電源となるバッテリーからなる電源装置２５が設置されている。これにより電源のない分娩現場でも装置の使用が可能になる。
【００２１】
最上段のラック２１の下面側左右位置（機体フレーム１４の上部側）には母牛の分娩位置や助産作業位置に投光する照明用のランプ（照明装置）２６が前向きに取付けられ、縦フレーム１６の左右両端には後方より把持して後述する本体１の走行移動時又は停止時に操作を行う際のハンドル２７が後傾方向に突設されている。
【００２２】
さらに機体フレーム１４の下端背面の左右両側位置には、ブラケット２８を介して車輪（キャスター）２９が軸支され、図１，２の状態からハンドル２７を持って矢印ａ方向に本体１を倒すとキャスター２９が接地し、本体１は床面上を手押し走行により移動することが可能になる。この車輪２９を駆動する減速機付モータ（図示しない）を取付ければ、動力駆動による走行が可能である。
【００２３】
固定部材となるチェン７は、縦フレーム１６の下端側中央で折り返し端を連結リング３１に挿通し、両端を縦フレーム１６の上方の両側面に突設した係止部３２に係脱可能に係止して保持されているが、その一方の端部にはフック３３が連結されている。
【００２４】
そしてこのチェン７は本体１を前記支柱８の近傍に定置した状態で、両端を上記係止部３２により外して支柱８等の固定物に巻掛けるとともに、上記フック３３を他端側のチェン７のリングに長さ調節しながら係止することにより、本体１を位置決め固定し、ウインチ６による牽引の反力を得る。
【００２５】
ウインチ６は、図示するように台座１７上に取付けられており、右側には駆動用のモータ（図示しない）が設けられてウインチ６と連結されている。このモータは減速機付で、ウインチ６のワイヤ引込み速度は例えば１ｍ／ｓｅｃ程度の緩速に設定されている。ウインチ６のドラムの上部には、ウインチ６上に物が直接落下しないように格子状の安全ガード３４が取付けられている。
【００２６】
また上記ウインチ６の前方（ロープ繰り出し・引き込み側）には、ワイヤロープ９の繰出し及び引き込み作動を案内するガイド装置３６が設けられており、ガイド装置３６は、台座１７上の左右両端側に立設されたゲート状のガイドフレーム３７内に左右方向のロール３８と上下方向のロール３９が、それぞれ一対ずつロープ９の挿通間隔を介して回転自在に軸支されており、ロープ９の繰り出し引き込み作動をスムースにガイドする。
【００２７】
また、ゲート状のガイドフレーム３７の上部は左右方向のパイプからなるシャフト状の横材３７ａが架設され、この横材３７ａには軸線が交差するように一対のリング状部材で一体形成された連結環４１に一方のリングが嵌合され、他方のリングにはスイペル状のジョイント部材４２を介してロープ９の先端をロープの捩れを解消しながら連結できる機構になっている。
【００２８】
上記のように装置の本体１に対し、固定部材７による固定位置とウインチ６の取付位置（又はロープ９の引き込み位置）の高さが共に下端部付近の低位置であることにより、助産作業の際のロープによる牽引時にも、定置された装置本体１は転倒や傾きもなく安定した定置状態を保つことができる。
【００２９】
図１で実線で示す例では、ロープ９はループを形成して折り返されて繰り出し端が本体１側の連結環（係止部）４１に連結され、ループ状の折り返し端は動滑車４３に巻掛けられており、該動滑車４３の一端に設けられたフック（捕捉連結具）４４が産科バンド４の両端のリング部に係止されている。この機構により助産時の子牛の足３の牽引速度は１／２になるが牽引力は２倍になる。
【００３０】
他方、図１の仮想線で示すロープ９の使用方法では、ロープ９の繰り出し端はスイペル状のジョイント部材４６を介して産科バンド４の両端に連結され、ロープ９の牽引力と牽引速度がそのまま子牛の引き出しに反映される。図１に示す使用方法はこの仮想線の使用方法による。
【００３１】
上記装置による助産作業は、分娩現場に予め助産装置を搬入しておき、母牛の保定，装置の位置決め固定，滑車セット，ワイヤロープのセット，捕捉具（産科バンド）による捕捉セット等の手順によって約３分前後の短時間で助産準備を完了し、その後は既述のようにリモコン１２によってウインチ操作をして助産を行う。
【００３２】
このため助産の介助のうち最も労力と熟練を要する胎子の引き出し作業をリモコン操作によって行うことができる。
【符号の説明】
【００３３】
１    助産装置の本体
２    母体（母牛）
３    胎子（子牛）の足
４    補足具（産科バンド）
６    ウインチ
７    固定部材（チェン）
８    固定物（支柱）
９    牽引具（ロープ）
１２    リモートコントローラ
１４    機体フレーム
１６    縦フレーム
１７    台座
２３    充電器
２４    収納部
２５    電源装置（バッテリー）
２６    照明器具
２９    車輪（キャスター）
３６    ガイド装置
４１    係止部（連結具）
４３    動滑車
４４    補足連結部（フック）
【手続補正書】
【提出日】令和1年7月2日(2019.7.2)
【手続補正１】
【補正対象書類名】特許請求の範囲
【補正対象項目名】請求項１
【補正方法】変更
【補正の内容】
【請求項１】
動物の母体（２）から突出した分娩中の胎子の足（３）を捕捉する捕捉具（４）をロープその他の牽引具（９）を介して牽引し、胎子を母体（２）から娩出させる電動モータ付のウインチ（６）を備えた助産装置であって、携帯又は移動可能な機体フレーム（１４）に上記ウインチ（６）と、牽引時に機体フレーム（１４）を位置決め固定して牽引反力を得る固定部材（７）とを備え、上記機体フレーム（１４）が縦フレーム（１６）と、該縦フレーム（１６）の下端に前向きに突設されウインチ（６）を設置する台座（１７）とで構成され、該台座（１７）の上方には、ウインチ（６）のモータの電源装置（２５）と、助産作業又は助産装置のメンテナンスその他の作業に必要な用具を収納する収納部（２２），（２４）とをそれぞれ設置するラック（１８），（２０），（２１）を所定の上下間隔を介して前後方向に突設し、上記機体フレーム（１４）の下部背面側には車輪（２９）を軸支して設け、上部側には照明用のランプ（２６）を前向きに取付けるとともに上部側左右には機体フレーム（１４）を後傾させて上記車輪（２９）により機体フレーム（１４）を走行移動させる操作用のハンドル（２７）を設けた大型動物用助産装置。
【手続補正２】
【補正対象書類名】明細書
【補正対象項目名】０００７
【補正方法】変更
【補正の内容】
【０００７】
上記課題を解決するための本発明の装置は、第１に動物の母体２から突出した分娩中の胎子の足３を捕捉する捕捉具４をロープその他の牽引具９を介して牽引し、胎子を母体２から娩出させる電動モータ付のウインチ６を備えた助産装置であって、携帯又は移動可能な機体フレーム１４に上記ウインチ６と、牽引時に機体フレーム１４を位置決め固定して牽引反力を得る固定部材７とを備え、上記機体フレーム１４が縦フレーム１６と、該縦フレーム１６の下端に前向きに突設されウインチ６を設置する台座１７とで構成され、該台座１７の上方には、ウインチ６のモータの電源装置２５と、助産作業又は助産装置のメンテナンスその他の作業に必要な用具を収納する収納部２２，２４とをそれぞれ設置するラック１８，２０，２１を所定の上下間隔を介して前後方向に突設し、上記機体フレーム１４の下部背面側には車輪２９を軸支して設け、上部側には照明用のランプ２６を前向きに取付けるとともに上部側左右には機体フレーム１４を後傾させて上記車輪２９により機体フレーム１４を走行移動させる操作用のハンドル２７を設けたことを特徴としている。